(57)【要約】【課題】空気調和機において、冷房、暖房の能力を調整する補助熱交換器の有り無しの時、補助熱交換器が無い場合、空気清浄器等の取り付け枠を、補助熱交換器の端板をつけなくても主熱交換器にに装着可能にするものである。【解決手段】主熱交換器１は空気清浄器等の取り付け枠９を固定する取り付け部１６を主熱交換器の端板３に突出して設け、一方、主熱交換器の端板に補助熱交換器２を装着する形態時には、主熱交換器の取り付け部を回避する凹部１９を、補助熱交換器２のフィン２ａに形成することによって、主熱交換器に直接、空気清浄器等の取り付け枠を取り付けることを可能にしたものである。【選択図】  図１
2005009818.tif 000002
【特許請求の範囲】
【請求項１】
主熱交換器に対し、補助熱交換器のみを装着する形態と、空気清浄器のみを装着する形態と、前記主熱交換器に前記補助熱交換器を装着し、かつ前記補助熱交換器に空気清浄器を装着する形態とに使分けられ、吸引した空気を前記主熱交換器等で調和して吹出し口より吹出す空気調和機において、前記主熱交換器は空気清浄器等の取り付け枠を固定する取り付け部を前記主熱交換器の端板に突出して設け、一方、前記主熱交換器の端板に前記補助熱交換器を装着する形態時には、前記主熱交換器の取り付け部を回避する凹部を、前記補助熱交換器のフィンに形成してなる空気調和機。
【請求項２】
補助熱交換器の凹部は、前記補助熱交換器のフィンの一部を切り欠いて形成してなる請求項１記載の空気調和機。
【請求項３】
補助熱交換器の凹部は、前記補助熱交換器のフィンの一部を倒して形成してなる請求項１記載の空気調和機。
【発明の詳細な説明】
【０００１】
【発明の属する技術分野】
本発明は、主熱交換器に補助熱交換器のみを装着する形態と、空気清浄器のみを装着する形態と、前記補助熱交換器と空気清浄器の両方を装着する形態とに使分けられる空気調和機に関するものである。
【０００２】
【従来の技術】
従来、空気調和機で、主熱交換器に対し、補助熱交換器と空気清浄器の両方を装着して使用するものがある（例えば、特許文献１参照）。そして、このような空気調和機では、近年、図９に示すように主熱交換器１の前側に補助熱交換器２を取り付けるのが一般的である。
【０００３】
図９および図９のＡ−Ａ線の断面図である図１０において、１は主熱交換器で、２は補助熱交換器で、後傾斜部分の主熱交換器１の前側に位置させて主熱交換器１の端板３にネジ４などで端板５を取り付けている。６は主熱交換器１等を固定する台枠、７は空気調和機の外装を構成する前面枠、８は外装を構成する吸入パネル、９は空気清浄器等の取り付け枠で、補助熱交換器２の端板５の主熱交換器１とは反対側に固定してある。
【０００４】
この種の空気清浄器の取り付け枠９を取り付ける空気調和機は、振動音が発生しないように補助熱交換器２と主熱交換器１との間に設けている隙間１０を確保するため、補助熱交換器２を装着しない場合、補助熱交換器２の端板５とは別個の専用の端板（図示せず）を配設して、取り付け枠９を取り付けることで空気清浄器と主熱交換器の間に隙間を形成していた。
【０００５】
しかしながら、上記従来の構成で補助熱交換器２を装着しない場合は本来、空気調和機および空気清浄器の機能とは無関係な部品である端板が配設され、組み立て工数、材料費アップとなり、なおかつ端板のみで空気清浄器等の取り付け枠９を取り付けているため、取り付けが不安定であるという問題点を有していた。
【０００６】
【特許文献１】
特開２００２−６１８６３号公報
【０００７】
【発明が解決しようとする課題】
上記従来の技術の問題点に鑑み、本発明が解決しようとする課題は、材料費が安価で、組み立て工数が少なく、且つ空気清浄器等の取り付け枠を安定して取り付ける空気調和機を提供することにある。
【０００８】
【課題を解決するための手段】
上記課題を解決するために本発明は、主熱交換器に対し、補助熱交換器のみを装着する形態と、空気清浄器のみを装着する形態と、前記主熱交換器に前記補助熱交換器を装着し、かつ前記補助熱交換器に空気清浄器を装着する形態とに使分けられ、吸引した空気を前記主熱交換器等で調和して吹出し口より吹出す空気調和機において、前記主熱交換器は空気清浄器等の取り付け枠を固定する取り付け部を前記主熱交換器の端板に突出して設け、一方、前記主熱交換器の端板に前記補助熱交換器を取り付けて装着する形態時には、前記主熱交換器の取り付け部を回避する凹部を、前記補助熱交換器のフィンに形成したものである。
【０００９】
上記構成によれば、補助熱交換器のフィンに凹部を設けることによって、主熱交換器の取り付け部を回避して主熱交換器の端板に補助熱交換器の取り付けが可能となり、また補助熱交換器が主熱交換器の端板に装着されない場合、主熱交換器に従来例で説明した専用の端板である補助金具等が無しでも、主熱交換器の端板の取り付け部に空気清浄器等の取り付け枠を取り付けることが可能となり、安価で組み立てやすい、そして空気清浄器等の取り付け枠を安定して取り付けることができる。
【００１０】
また請求項２記載に係る発明は、請求項１記載の補助熱交換器の凹部を、前記補助熱交換器のフィンの一部を切り欠いて形成したもので、補助熱交換器のフィンの一部を犠牲にするだけなので、それほど熱交換能力を下げることなく行うことができる。
【００１１】
また請求項３記載に係る発明は、請求項１記載の補助熱交換器の凹部を、前記補助熱交換器のフィンの一部を倒して形成したもので、補助熱交換器のフィンを倒すだけで切り取ることがないから、熱交換能力を殆ど犠牲にすることなく行うことができる。
【００１２】
【発明の実施の形態】
本発明の目的は各請求項に記載した構成を実施の形態の要部とすることにより達成できるので、以下には請求項１ないし３に対応する一実施例についての詳細を、図１〜図８を参照して説明し、併せて効果を述べて本発明の実施の形態についての説明とする。
【００１３】
（実施の形態１）
図１は本実施の形態１における補助熱交換器付きの空気調和機の分解した側面図で、図２（ａ）は図１のＡ−Ａ線の断面図で、図２（ｂ）は図２（ａ）に対応する概略の斜視図、図２（ｃ）は図２（ａ）に対応する主熱交換器と補助熱交換器部分の概略の分解斜視図で、図３は同補助熱交換器の裏面図である。
【００１４】
本発明の空気調和機は、冷凍サイクルを構成する要素の一つである主熱交換器１に対し、冷房、暖房の能力を調整する補助熱交換器２のみを装着する形態と、空気清浄器１１のみを装着する形態と、主熱交換器１に補助熱交換器２を装着し、かつ補助熱交換器２に空気清浄器１１を装着する形態とに使分けられる構造で、吸気口１２から吸引した空気を主熱交換器１等で調和して吹出し口１３より吹出すように構成してある。
【００１５】
主熱交換器１は、空気清浄器１１の取り付け枠９の固定部１４をネジ１５などで固定する逆Ｌ字状の取り付け部１６を、主熱交換器１の前面側における端板３の端面に複数突出して設けている。
【００１６】
補助熱交換器２は、主熱交換器１と略同一幅に形成され、端板１７をネジ１８などで主熱交換器１の端板３に取り付けて装着するために、主熱交換器１の取り付け部１６を回避するため（逃げるため）に、裏面側になる補助熱交換器２のフィン２ａおよび端板１７に、取り付け部１６に嵌る凹部１９を複数形成している。凹部１９は、図３に示すように補助熱交換器２のフィン２ａおよび端板１７を切り欠いて補助熱交換器２の幅全体にわたって形成している。２０は互いに接して振動音が発生しないように、補助熱交換器２と主熱交換器１との間に設けている隙間である。
【００１７】
図中、１ａは主熱交換器１のフインで、１ｂはフィン１ａを貫通した冷媒管である。２１は補助熱交換器２における端板１７の端面の一部を折り曲げ、取り付け枠９の固定部１４をネジ１５などで固定する際の折り曲げ片で、２ｂは補助熱交換器２の冷媒管である。６は主熱交換器１等を固定する台枠、７は空気調和機の外装を構成する前面枠、８は外装を構成する吸入パネルである。
【００１８】
上記実施の形態において、空気調和機の能力を調整するため主熱交換器１に、補助熱交換器２を装着した形態にする際は、補助熱交換器２の裏面側に設けた凹部１９を、空気清浄器１１の取り付け枠９を取り付ける主熱交換器１の取り付け部１６に嵌合させて補助熱交換器２の端板１７をネジ１８で主熱交換器１の端板３に固定する。従って、補助熱交換器２は主熱交換器１の端板３に設けた空気清浄器１１の取り付け枠９の取り付け部１６に邪魔されることなく、主熱交換器１の前側に取り付けることができる。
【００１９】
そして、空気清浄器１０も空気調和機に装着する場合には、図１、図２（ａ）に示すように主熱交換器１の前側に取り付けた補助熱交換器２の折り曲げ片２１に、取り付け枠９の固定部１４をネジ１５で固定するものである。
【００２０】
また、補助熱交換器２を装着しないで、空気清浄器１１のみを主熱交換器１に装着する場合には、図４、図４のＡ−Ａ線の断面図である図５に示すように補助熱交換器２の取り付けられていない主熱交換器１の取り付け部１６に、空気清浄器１１を予め取り付けた取り付け枠９の固定部１４をネジ１５で固定して取り付けるものである。従って、従来例で説明したような専用の端板を使用することなく、主熱交換器１の端板３の取り付け部１６に直接、空気清浄器１１の取り付け枠９を取り付けられるので、取り付け部材の少ないことによる組立て易いのと、材料費を安価にできるとともに、取り付け枠９を安定して取り付けることができる。
【００２１】
（実施の形態２）
図６は、本発明の実施の形態２における空気調和機に付加する補助熱交換器の裏面図である。本実施の形態は、補助熱交換器の裏面側に形成した凹部の構造において、実施の形態１の発明と異なるだけでそれ以外の構成並びに作用効果は同一なので、図１を利用して異なるところを中心に説明する。
【００２２】
補助熱交換器２は凹部１９ａを、主熱交換器１に具備した空気清浄器１１の取り付け枠９を取り付ける、取り付け部１６を回避するため、補助熱交換器２のフィン２ａおよび端板１７の一部を切り欠いて補助熱交換器２の幅方向の両端に形成している。
【００２３】
上記実施の形態によれば、補助熱交換器２の主熱交換器１への取り付け作用効果は、実施の形態１で説明した通りである。さらに、補助熱交換器２のフィン２ａおよび端板１７の一部を切り欠いて凹部１９ａを形成して熱交換能力を犠牲にするだけなので、それほど熱交換能力を下げることなく行うことができる。
【００２４】
（実施の形態３）
図７は、本発明の実施の形態３における空気調和機に装着する補助熱交換器の裏面図で、図８は、図７のＡ−Ａ線の断面図である。本実施の形態は、補助熱交換器の裏面側に形成した凹部の構造において、実施の形態１および２の発明と異なるだけでそれ以外の構成並びに作用効果は同一なので、図１を利用して異なるところを中心に説明する。
【００２５】
補助熱交換器２は凹部１９ｂを、主熱交換器１に具備した空気清浄器１１の取り付け枠９を取り付ける、取り付け部１６を回避するため、補助熱交換器２のフィン２ａの一部を倒し、かつ端板１７の一部を切り欠いて補助熱交換器２の幅方向の両端に形成している。
【００２６】
上記実施の形態によれば、補助熱交換器２の主熱交換器１への取り付けによる作用効果は、実施の形態１で説明した通りである。さらに、補助熱交換器２のフィン２ａの一部を切り取るのではなく、倒して凹部１９ｂを形成しているので、フィン２ａの熱交換能力を殆ど犠牲にすることがないから、熱交換能力を維持して行うことができる。
【００２７】
なお、上記実施の形態では取り付け枠９に空気清浄器を取り付けているが、これに限定されるものではなく、人間にとって好ましい状態に調和空気へ作用する機器を取り付けることを含むものである。
【００２８】
【発明の効果】
上記から明らかなように本発明の空気調和機は、従来例において空気清浄器等の取り付け枠と主熱交換器の間にあった補助熱交換器の隙間を補助していた端板を装着しなくても空気清浄器等の取り付け枠を、直接に主熱交換器の端板に設けた取り付け部に装着することができ、組み立て工数と材料費の削減を行うことができる。
【００２９】
また、本発明は、補助熱交換器の熱交換能力を犠牲にすることが少なく実施できる。
【図面の簡単な説明】
【図１】本発明の実施の形態１における空気調和機の分解した側面図
【図２】（ａ）同実施の形態１における図１のＡ−Ａ線の断面図
（ｂ）図２（ａ）に対応した部分の要部斜視図
（ｃ）図２（ａ）に対応した部分の要部の分解斜視図
【図３】同実施の形態１における空気調和機の補助熱交換器の裏面図
【図４】同実施の形態１における空気調和機で、空気清浄器のみを装着した状態の分解した側面図
【図５】同実施の形態１における図４のＡ−Ａ線の断面図
【図６】本発明の実施の形態２における空気調和機の補助熱交換器の裏面図
【図７】本発明の実施の形態３における空気調和機の補助熱交換器の裏面図
【図８】同実施の形態３における図７のＡ−Ａ線の断面図
【図９】従来例を示す空気調和機の分解した側面図
【図１０】図９のＡ−Ａ線の断面図
【符号の説明】
１  主熱交換器
２  補助熱交換器
２ａ  補助熱交換器のフィン
３  端板
９  取り付け枠
１１  空気清浄器
１２  吸気口
１３  吹出し口
１６  取り付け部
１９、１９ａ、１９ｂ  凹部
【図１】
2005009818.tif 000003
【図２】
2005009818.tif 000004
【図３】
2005009818.tif 000005
【図４】
2005009818.tif 000006
【図５】
2005009818.tif 000007
【図６】
2005009818.tif 000008
【図７】
2005009818.tif 000009
【図８】
2005009818.tif 000010
【図９】
2005009818.tif 000011
【図１０】
2005009818.tif 000012